(57)【要約】【課題】弱化ブリッジの破断に伴って形成された、先端が尖った破断痕による接触の程度を小さくして不快な刺激を回避することができる容器用キャップを提案する。【解決手段】容器の注出開口２ａを閉塞する天板１ａを、下向きに開放された環状溝１ｂを形成する内外二重の筒体１ｃ、１ｄに一体連結して、該環状溝１ｂを打栓によって容器の口頚部先端２に嵌合させて固定保持するベース１ｅと、このベース１ｅを取り囲んで該容器の該口頚部先端２ａに対する嵌合力を増強する環状帯３とを備えたものにおいて、前記ベース１ｅの外周壁と、前記環状帯３の内周壁との相互間に、該ベース１ｅの周りに沿い間隔を隔てて配列され、該ベース１ｅと環状帯３とを分離可能に連結する複数の弱化ブリッジ４を設ける。そして、前記ベース１ｅの外周壁および前記環状帯３の内周壁の少なくとも一方に、該弱化ブリッジ４に隣接する保護突起５を形成する。【選択図】図１
2015160643.tif 000002
【特許請求の範囲】
【請求項１】
容器の注出開口を閉塞する天板を、下向きに開放された環状溝を形成する内外二重の筒体に一体連結して、該環状溝を打栓によって容器の口頚部先端に嵌合させて固定保持するベースと、このベースを取り囲んで該筒体の該口頚部先端に対する嵌合力を増強する環状帯とを備えた容器用キャップであって、
前記ベースの外周壁と、前記環状帯の内周壁との相互間に、該ベースキャップの周りに沿い間隔を隔てて配列され、該ベースと環状帯とを分離可能に連結する複数の弱化ブリッジを設け、
前記ベースの外周壁および前記環状帯の内周壁の少なくとも一方に、該弱化ブリッジに隣接する保護突起を形成したことを特徴とする容器用キャップ。
【請求項２】
前記保護突起は、前記弱化ブリッジの相互間に位置して該弱化ブリッジを両側に挟み込む交互配列になることを特徴とする請求項１に記載した容器用キャップ。
【請求項３】
前記弱化ブリッジは、前記環状帯との連結部位に、該弱化ブリッジと該環状帯とを切り離す分断予定端を有する請求項１または２に記載した容器用キャップ。
【請求項４】
前記保護突起は、前記ベースを構成する外側の筒体の外周壁に設けられたものである請求項１〜３のいずれか１に記載した容器用キャップ。
【請求項５】
前記ベースと前記環状帯との相互間に、該ベースおよび該環状帯を分離不能に連結する連結片を設け、該ベースを構成する内外二重の筒体のうちの外筒に、上下に沿って伸延し、前記環状帯の引き起こしに伴って該外筒を周方向に分断する第一の弱化部と、この第一の弱化部につながり、該外筒をその一部を除いて前記内筒から切り離す第二の弱化部を形成したことを特徴とする請求項１〜４のいずれか１に記載した容器用キャップ。
【請求項６】
前記第一の弱化部および第二の弱化部は、薄肉部にて形成されたものである、請求項５に記載した容器用キャップ。
密閉栓。
【請求項７】
前記ベースと前記環状帯との相互間に、該ベースおよび該環状帯を分離不能に連結するとともに該環状帯の引き起こしにより該ベースを前記容器の口頚部先端より離脱させる連結片を設けたことを特徴とする請求項１〜４のいずれか１に記載した容器用キャップ。
【発明の詳細な説明】
【技術分野】
【０００１】
本発明は、容器とキャップとを容易に分離させて、分別破棄等に簡易に対応できる、いわゆる簡易分別キャップとして用いることができる容器用キャップに関するものであり、とくには、容器の注出開口を閉塞する天板を、下向きに開放された環状溝を形成する内外二重の筒体に一体連結して、その環状溝を打栓によって容器の口頸部先端に嵌合させて固定保持するベースと、このベースを、複数の弱化ブリッジを介して取り囲んで、筒体の口頸部先端に対する嵌合力を増強する環状帯とを具えるものである。
【背景技術】
【０００２】
この種の容器用キャップは、飲みきりタイプの飲料ボトルや、詰め替え容器等に多く用いられており、たとえば、特許文献１に開示されたものが知られている。
【０００３】
これは、ビン口内壁に嵌合する胴部を円盤部で被冠するとともに、その円盤部と、それの外側に同心円状に位置する環状把手部とを一部破断可能に、一部一体的に連結し、環状把手部を引き上げることによって、胴部をビン口から抜き出して開栓するものである。
【先行技術文献】
【特許文献】
【０００４】
【特許文献１】特許第４１５２７１７号公報
【発明の概要】
【発明が解決しようとする課題】
【０００５】
しかるにこの従来の容器用キャップでは、環状把手部を引き上げる結果として、破断可能連結部の、先端が尖った破断痕が外部に露出することになるため、胴部をビン口から抜き出す際に、その破断痕が需要者の手指に触れることがないとはいえず、破断痕が手指に不快な刺激を与えることが懸念される。
【０００６】
本発明は、従来技術が抱えるこのような問題点を解決することを課題とするものである。すなわち、本発明の目的とするところは、容器用キャップのベースを、破断可能な連結部となる弱化ブリッジを介して取り囲む環状帯を引き起こして破断させた場合に形成される、先端が尖った破断痕が、容器の開栓時に需要者の手指に触れる程度を有効に低減させ得る容器用キャップを提供するところにある。
【課題を解決するための手段】
【０００７】
本発明の容器用キャップは、容器の注出開口を閉塞する天板を、下向きに開放された環状溝を形成する内外二重の筒体を一体連結して、該環状溝を打栓によって容器の口頸部先端に嵌合させて固定保持するベースと、このベースを取り囲んで該筒体の該口頸部先端に対する嵌合力を増強する環状帯とを具えるものであって、前記ベースの外周壁と、前記環状帯の内周壁との相互間に、該ベースの周りに沿って、周方向に間隔をおいて配列されて、該ベースと環状帯とを分離可能に連結する複数の弱化ブリッジを設け、前記ベースの外周壁および前記環状帯の内周壁の少なくとも一方に、該弱化ブリッジに隣接する保護突起を形成したことを特徴とするものである。
【０００８】
ここで、「弱化ブリッジに隣接する」とは、文字通り隣接する場合の他、弱化ブリッジから、数ミリ程度の間で離隔して位置する場合、あるいは弱化ブリッジの縁部に一体的に連結している場合をも含むものとする。
【０００９】
また、「保護突起」は、突起状のもの、あるいはリブ状のものを適用することができ、弱化ブリッジの破断痕が残る部分（ベース、環状帯のいずれか一方）に隣接する場合のみならず、その上方および下方の少なくとも一方に設けることもできる。
【００１０】
上記の構成からなる容器用キャップにおいては、前記保護突起を、前記弱化ブリッジの相互間に位置して弱化ブリッジを両側から挟み込む交互配列にすること、また、弱化ブリッジが、環状帯との連結部位に、弱化ブリッジと環状帯とを切り離す、薄肉部、ミシン目状の穿孔あるいはスリット状の切れ込み等の分断予定端を有すること、また、保護突起が、ベースを構成する外側の筒体の外周壁に設けられたものであることが好ましい。
【００１１】
また、本発明の容器キャップは、前記ベースと前記環状帯との相互間に、該ベースおよび該環状帯を分離不能に連結する連結片を設け、該ベースを構成する内外二重の筒体のうちの外筒に、上下に沿って伸延し、前記環状帯の引き起こしに伴って該外筒を周方向に分断する第一の弱化部と、この第一の弱化部につながり、該外筒をその一部を除いて前記内筒から切り離す第二の弱化部を形成することができる。この際、前記第一の弱化部および第二の弱化部は、薄肉部にて形成されたものを適用するのが好ましい。
【００１２】
さらに、本発明の容器用キャップは、前記ベースと前記環状帯との相互間に、該ベースおよび該環状帯を分離不能に連結するとともに該環状帯の引き起こしにより該ベースを前記容器の口頚部先端より離脱させる連結片を設けるのが好ましい。
【発明の効果】
【００１３】
本発明の容器用キャップでは、とくに、ベースの外周壁と、環状帯の内周壁との相互間に、ベースの周りに沿って、周方向に間隔をおいて配列されて、ベースと環状帯とを分離可能に連結する複数の弱化ブリッジを設けるとともに、ベースの外周壁および環状帯の内周壁の少なくとも一方に、弱化ブリッジに隣接する保護突起を設けて、環状帯の、ベースからの引き起こしによって弱化ブリッジが所定の位置で破断されて、その破断箇所に、先端が尖った、内向きまたは外向きの破断痕が発生しても、それらの破断痕は、近接されて設けられた保護突起の作用下で、開栓作業を行う需要者の手指への接触の程度を小さくすることが可能となり、破断痕による不快な刺激は回避される。
【００１４】
また、本発明の容器用キャップによれば、容器の注出開口を閉塞する天板と一体連結したベースの二重の筒体の間の下向きに開放された環状溝を打栓によって容器の口頚部先端に嵌合させて固定保持し、しかもベースに一体連結するとともにこのベースの周りを取り囲んで容器の口頚部に対する嵌合力を補強する環状帯を設けているので、容器への固定保持力を十分に高くすることができ、容器の密封力を十分高めることができる。
【００１５】
しかも本発明の容器用キャップによれば、環状帯を引き起こさなければ実質上容器の口頚部先端とベースとの嵌合を解除して容器を開封することはできず、それゆえ、環状帯の引き起こしの有無により容器の正規の開封前に不正な開封が行われた否かを目視で確実に判断することができる。
【００１６】
なお、本発明の容器用キャップにおいて、天板が前記ベースの前記内側の筒体の上端部に一体連結する外縁部を有している場合は、内側の筒体の下端部が変形容易な自由端部になることから、開封時に内側の筒体を容器の口頚部内から容易に抜き出すことができる。
【００１７】
この一方で、天板が、前記ベースの前記内側の筒体の下端部に一体連結する外縁部を有している場合は、内側の筒体の下端部が天板で内側から支持されていることから、容器の内容物が高温充填の場合の熱履歴による内側の筒体の内倒れを防止して、液漏れに対する耐性を高めることができる。
【００１８】
保護突起を、弱化ブリッジの相互間に位置して、弱化ブリッジを両側から挟み込む交互配列とした場合は、弱化ブリッジの、先端が尖った破断痕から、需要者の手指をより効果的に保護して、需要者の手指の破断痕への接触の程度を一層有利に低減することができる。
【００１９】
また、弱化ブリッジの、環状帯との連結部位に、弱化ブリッジと環状帯とを切り離す分離予定端を設けたときは、所要に応じた、内向きまたは外向きの破断痕を環状帯あるいはベースに形成することができる。
【００２０】
ここで、保護突起を、ベースを構成する外側の筒体の外周壁に設けた場合は、合成樹脂性の容器用キャップの既存の成形型に対する大きな変更なしに、所要の保護突起を容易に形成することができる。
【００２１】
また、本発明の容器用キャップによれば、ベースと環状帯との相互間に、該ベースおよび該環状帯を分離不能に連結する連結片を設け、該ベースを構成する内外二重の筒体のうちの外筒に、上下に沿って伸延し、前記環状帯の引き起こしに伴って該外筒を周方向に分断する第一の弱化部と、この第一の弱化部につながり、該外筒をその一部を除いて内筒から切り離す第二の弱化部を形成するようにしたため、抜栓時に環状帯とベースは帯状に引きちぎられる。このとき、第一の弱化部および第二の弱化部は、薄肉部にて形成することができ、外筒の、内筒からの切り離しが確実になるとともに抜栓力が小さくてすむ。
【００２２】
さらに、本発明の容器用キャップによれば、ベースと環状帯との相互間に、該ベースおよび該環状帯を分離不能に連結するとともに該環状帯の引き起こしにより該ベースを前記容器の口頚部先端より離脱させる連結片を設けるようにしたため、抜栓の前後における外筒はそのままの形状に保持されることとなり、リキャップが可能となる（キャップの再利用）。
【図面の簡単な説明】
【００２３】
【図１】（ａ）、（ｂ）は、本発明の容器用キャップの第１実施例を容器の上部とともに示す断面図および平面図である。
【図２】図１に示す容器用キャップの外観斜視図である。
【図３】図１に示す容器用キャップの要部拡大図である。
【図４】図１に示す容器用キャップの抜栓工程を示す外観斜視図である。
【図５】図１に示す容器用キャップの抜栓工程を示す外観斜視図である。
【図６】（ａ）、（ｂ）は、本発明の容器用キャップの第２実施例を容器の上部とともに示す断面図および平面図である。
【図７】図６に示す容器用キャップの環状帯を引き起こした状態を、容器の上部とともに示す断面図である。
【図８】（ａ）、（ｂ）は、本発明の容器用キャップの第３実施例を容器の上部とともに示す断面図および平面図である。
【発明を実施するための形態】
【００２４】
以下に本発明の実施の形態を図面に基づいて説明する。
図１（ａ）（ｂ）は、本発明に従う容器用キャップの第１実施例を模式的に示した図であり、図２は図１に示した容器用キャップの外観斜視図である。
【００２５】
図１、２において、符号１は、容器用キャップである。この容器用キャップ１は、容器の口頚部先端２の注出開口２ａを閉塞する天板１ａと、上端同士を一体転結して下向きに開放された環状溝１ｂを形成するとともにその内側下端を連結部１ｈに連結した内外の筒体１ｃ、１ｄ（以下、内側の筒体を内筒１ｃで表示し、外側の筒体を外筒１ｄで表示する）とによって構成されたベース１ｅを具えている。このベース１ｅは、内筒１ｃ、外筒１ｄ間の環状溝１ｂを打栓によって容器の口頚部先端２に嵌合させて固定保持されるものであって、このベース１ｅの外側には、該ベース１ｅを取り囲んで内筒１ｃ、外筒１ｄの口頚部先端２に対する嵌合力を増強する環状帯３を設けられている。
【００２６】
なお、図１（ａ）（ｂ）に示すところでは、外筒１ｄの一条の内周突状１ｆと口頚部先端２の一条の外周突状２ｂとのアンダーカット嵌合によって、口頚部先端２を内筒１ｃと外筒１ｄとの間で挟持する嵌合固定状態を実現している。
【００２７】
また、この容器用キャップ１には、ベース１ｅの外周壁、すなわち外筒１ｄの外周壁と、環状帯３の内周壁との相互間に、ベース１ｅの周りに沿って、周方向に間隔をおいて配列され、ベース１ｅと環状帯３とを下端側で分離可能に連結する複数、図では六個の弱化ブリッジ４が設けられている。また、この外筒１ｄの外周壁および環状帯３の内周壁の少なくとも一方、図１（ａ）（ｂ）に示すところでは、外筒１ｄの外周壁に、弱化ブリッジ４に隣接して位置し、図では弱化ブリッジ４を挟む総計７個の保護突起５、たとえば周方向へ延びるリブ状の保護突起５が弱化ブリッジ４と交互に設けられている。
【００２８】
保護突起５は、容器の口頚部先端２から容器用キャップ１を取り外す際に需要者の手指を、弱化ブリッジ４の先端が尖った破断痕から保護する機能を有しており、これにより、破断痕による手指への不快な刺激を回避する。
【００２９】
なお、この第１実施例では、容器の注出開口２ａを閉塞する天板１ａは、内筒１ｃ、外筒１ｄと同心の環状周壁１ｇおよび連結部１ｈを介して外周縁を内筒１ｃの下端部に一体連結したものを例として示したが、天板１ａは外周縁を内筒１ｃの上端部に一体連結することもでき、また、天板１ａの上面を、内筒１ｃの下端部もしくはそれより低い位置に設けることも可能であり、この点については、図示のものに限定されることはない。
【００３０】
また、第１実施例では、弱化ブリッジ４を、周方向に離隔した六個所に設けることとし、各個の弱化ブリッジ４の平面形状を環状帯３に向けて先細りとなる台形形状としたものを例示したが、弱化ブリッジ４の配設個所、平面形状等は、所要に応じて適宜変更することができる。
【００３１】
さらに、第１実施例では、弱化ブリッジ４を挟む位置に、周方向へリブ状に延びる総計７個の保護突起５を設けることとしているも、保護突起５の数はそれが弱化ブリッジ４に隣接して存在する限りにおいて種々に変更することができる。また、保護突起５の形態は、凸状とすることもでき、しかも、該保護突起５は、弱化ブリッジ４の上方および下方の少なくとも一方に設けることを可としている。
【００３２】
弱化ブリッジ４の平面形状を図１（ｂ）に示す如く、環状帯３に向けて先細りとなる台形形状とし、かつ、その断面形状を図３に示すように、環状帯３に向けて漸次に薄肉化したものを適用する場合には、該弱化ブリッジ４の分断予定端４ａは、環状帯３との連結部位（環状帯３と弱化ブリッジ４の境界）に位置し、抜栓時に弱化ブリッジ４の破断痕は、外筒１ｄ側に残ることから、保護突起５は、ベース１ｅの外周壁、すなわち、外筒１ｄに設ける。
【００３３】
なお、弱化ブリッジ４の分断予定端４ａは、外筒１ｄとの連結部位としてもよく、その場合には、先端が尖った弱化ブリッジ４の破断痕は環状帯３の内周壁に残るため、保護突起５は環状帯３の内周壁に設けられる。分断予定端４ａは、弱化ブリッジ４の幅寸法や厚さを適宜変更してその平面形状を変化させることによって容易に形成することができる他（幅寸法の変更等）、薄肉部を設けたり、ミシン目状の穿孔、あるいはスリット状の切れ込みを設けることによって形成してもよく、この点については限定されない。
【００３４】
また、図１、２における符号６は、環状帯３と、外筒１ｄとを、周方向の一か所で破断不能、すなわち分離不能に連結する連結片である。環状帯３は、この連結片６および弱化ブリッジ４を介してベース１ｅの外筒１ｄを外側から支持して外筒１ｄの拡径を規制するとともに、容器の口頚部先端２に対する外筒１ｄの嵌合力を強化する。
【００３５】
上記の環状帯３には、その中心軸線に対し連結片６の形成位置とは、直径方向に対向する外周面に、半径方向外方へ突出する、たとえばリップ状の平面形状の指掛け部３ａを設けられる。
【００３６】
図１、２に示す第１実施例は、抜栓された後においては外筒１ｄの形状が帯状に変化して環状帯３を元に戻すことを不可能として抜栓されたか否かを外部目視で容易に判定することができる構成のものであり、そのため、ここでは、外筒１ｄに、上下方向に延在して、環状帯３の引き起こしに伴って外筒１ｄを周方向に分断する第一の弱化部７と、この第一の弱化部７につながり、外筒１ｄをその一部を除いて内筒１ｃから切り離す第二の弱化部８が形成されている。
【００３７】
かかる構成からなる容器用キャップにおいては、図４、５、に抜栓状況を示すように、外筒１ｄは、第一の弱化部７を境にして図４に示すように周方向に分断され、続いて図５に示すように、第二の弱化部８を境にして内筒１ｃから切り離される。これにより、外筒１ｄは、その大部分が容器の口頚部先端２から離隔することになり、環状帯３は、元の形状に戻すことができないので、容器が開封されたか否かを容易に判別することができる。
【００３８】
なお、第一の弱化部７、第二の弱化部８は、薄肉部によって形成することができるが、スリット状の切れ込み、ミシン目状の穿孔等によって形成することも可能であり、この点については任意に選択することができる。
【００３９】
このような容器用キャップにおいては、環状帯３の引き起こしと、これに伴う外筒１ｄの第一の弱化部７による周方向の分断とをスムーズに行わせるため、第一の弱化部７は、連結片６の隣接部位に設けるのがよい（外筒１ｄと連結片６はつながったままの状態に維持する）。また、外筒１ｄと、内筒１ｃとは第二の弱化部８により完全に切り離されてもよいが、この場合は、抜栓時に内筒１ｃとそれにつながる天板１ａが容器の口頚部先端２に残存することになり、内容物を注出するに当たっては該内筒１ｃを天板１ａとともに取り外す別の作業が必要となる。このため、第二の弱化部８の切り離し末端部には、外筒１ｄと内筒１ｃを局部的につなげておく図１、３、４に示す如きブリッジ９を設けておくのがよい。すなわち、第二の弱化部８の終端は、その始端にまでは届かない切残し代を設けておく。このブリッジ９が存在することにより、内筒１ｃは、外筒１ｄ、連結片６を介して環状帯３につながった状態に維持され、該環状帯３を引き上げるだけで内筒１ｃを天板１ａとともに容器の口頚部先端２から容器に取り外すことができることになる。
【００４０】
図６（ａ）、（ｂ）は、本発明の容器用キャップ（合成樹脂等で形成される）の第２実施例を容器の上部とともに模式的に示す断面図および平面図であり、図７は、図６（ａ）（ｂ）に示した容器用キャップにおいて環状帯３を引き起こした状態（抜栓状態）で示す断面図である。
【００４１】
なお図中、先の実施例と同一の部分はそれと同一の符号で示す。この第２実施例の容器用キャップ１は、第一の弱化部７および第二の弱化部８を設けない点、並びに天板１ａの外周縁部を、内筒１ｃの上端に一体連結している点で、先の第１実施例と相違するものである。
【００４２】
この第２実施例においても、弱化ブリッジ４と保護突起５は、図６（ｂ）に示すように、第１実施例のものと同様に形成する。ここで、弱化ブリッジ４および保護突起５の形成態様等は、先にも述べたように所要に応じて適宜に変更し得ることはもちろんである。また、弱化ブリッジ４の分断予定端４ａも第１実施例と同様に幅寸法や厚さを適宜変更することで特定することができる他、スリット状の切れ込みを入れること、あるいはミシン目状の穿孔を施すこと等によっても特定することができる。
【００４３】
第２実施例によれば、容器用キャップ１は、容器の注出開口２ａを閉塞する天板１ａと一体連結したベース１ｅの二重の筒体の内筒１ｃ、外筒１ｄの間の下向きに開放された環状溝１ｂを打栓によって容器の口頚部先端２に嵌合させて固定保持されており、しかもベース１ｅの周りには、それを取り囲んで容器の口頚部先端２に対する嵌合力を補強する（容器の口頚部先端２にベース１ｅを打栓した際、外筒１ｄが拡径するのを抑える）環状帯３が設けられているので、容器への固定保持力を十分に高くすることができ、このため容器の密封力を十分高めることができる。
【００４４】
また、この第２実施例の容器用キャップ１によれば、図７中に矢印で示すように、環状帯３の複数の弱化ブリッジ４を破断させて環状帯３を引き起こし、その環状帯３を引っ張ることで、連結片６を介してベース１ｅの一端部（図では右端部）が引き上げられ、この引き上げにより、容器の口頚部先端２とベース１ｅとのアンダーカット嵌合が上記一端部側から解除されて容器の開封が可能となる。その際、ベース１ｅと環状帯３とをつなぐ複数の弱化ブリッジ４がすでに破断して容器の口頚部先端２に対する外筒１ｄの嵌合力が低下しているので、容器の口頚部先端２とベース１ｅとの嵌合を容易に解除して容器を抜栓することができる。
【００４５】
しかもこの第２実施例の容器用キャップ１によれば、抜栓前は、環状帯３が容器の口頸部先端２に対する嵌合力を補強するようにしているので、弱化ブリッジ４を破断させて環状帯３を引き起こさない限り容器を開栓することはできず、それゆえ、環状帯３の引き起こしの有無により容器の正規の開封前に不正な開封が行われた否かを目視で確実に判断することができる。また、指掛け部３ａの対応箇所に弱化ブリッジ４を設けなければ開栓時にベース１ｅを持ち上げやすくなり、操作性を向上させることができる。
【００４６】
さらにこの第２実施例の容器用キャップ１によれば、天板１ａは、ベース１ｅの内筒１ｃの上端部に一体連結する外縁部を有しているので、内筒１ｃの下端部が変形容易な自由端部になることから、抜栓時に内筒１ｃを容器の口頚部内から容易に抜き出すことができる。とくにこの第２実施例は、容器用キャップ１の抜栓に際して、ベース１は初期形状をそのまま維持できることから容器用キャップ１を再利用できる利点がある。
【００４７】
図８（ａ）、（ｂ）は、本発明の容器用キャップの第３実施例を容器の上部とともに示す断面図および平面図であり、図中、先の実施例と同様の部分はそれの同一の符号にて示す。
【００４８】
この第３実施例は、天板１ａがベース１ｅの内筒１ｃの下端部に一体連結する外縁部を有している点のみ、先の第２実施例と相違しており、他の点では先の第２実施例と同一の構成を具えている。
【００４９】
かかる第３実施例の容器用キャップ１によれば、内筒１ｃの下端部が変形容易な自由端部にならないこと以外は、先の第２実施例と同様の作用効果を奏することができ、それに加えて、内筒１ｃの下端部が天板１ａで内側から支持されることから、例えば、温度が６５℃以上となる液体を容器に充填するいわゆる高温充填を行う場合でも熱履歴による内筒１ｃの内倒れを防止して、液漏れに対する耐性を高めることができる。
【００５０】
なお、図８（ａ）（ｂ）に示す第３実施例の容器用キャップ１もまた弱化ブリッジ４および弱化ブリッジ４に隣接する、リブ状の保護突起５を備えることから、キャップ１を容器の口頚部先端２から取り外すにあたって、需要者の手指に弱化ブリッジ４の尖った先端を有する破断痕が触れる程度を小さくすることが可能であり、不快な刺激を、保護突起５をもって効果的に回避することができる。
【００５１】
上述したところでは、ベース１ｅと環状帯３との相互間に、ベース１ｅと環状帯３とを分離不能に連結して、環状帯３の連結片６を設けることとしているも、別途の抜栓道具等を用いる場合は、その連結片６は不要となる。
【００５２】
また、かかる構成の容器用キャップ１においても、保護突起５を、弱化ブリッジ４の相互間に設けて弱化ブリッジ４を両側から挟み込む交互配列とすることにより、既存の樹脂成形型等に対する少ない加工の下で、容器用キャップ１を簡易に製造することができる利点がある。
【００５３】
さらに、保護突起５を、ベース１ｅを構成する外側の筒体すなわち、外筒１ｄの外周壁に設けられたものとするときは、これも既存の成形型等に対する少ない加工で容器用キャップ１を簡易に、かつ安価に製造することができる。
【産業上の利用可能性】
【００５４】
本発明によれば、弱化ブリッジの破断痕が手指に触れる程度を有効に低減し得る容器用キャップが提供できる。
【符号の説明】
【００５５】
１  容器用キャップ
１ａ  天板
１ｂ  環状溝
１ｃ  内筒
１ｄ  外筒
１ｅ  ベース
１ｆ  内筒突条
１ｇ  環状周壁
１ｈ  連結部
２  口頚部先端
２ａ  注出開口
２ｂ  外周突条
３  環状帯
３ａ  指掛け部
４  弱化ブリッジ
４ａ  分断予定端
５  保護突起
６  連結片
７  第一の弱化部
８  第二の弱化部
９  ブリッジ
【図１】
2015160643.tif 000003
【図２】
2015160643.tif 000004
【図３】
2015160643.tif 000005
【図４】
2015160643.tif 000006
【図５】
2015160643.tif 000007
【図６】
2015160643.tif 000008
【図７】
2015160643.tif 000009
【図８】
2015160643.tif 000010